(57)【要約】      （修正有）【課題】底面フラップの根元部分に強い負荷が加わった場合であっても，底面フラップと側面板との境界線上に沿って破断しにくい包装箱を提供する。【解決手段】包装箱１００は，縦折り目を介して連接した前後左右の側面板１１，１２，１３，１４と，各側面板のそれぞれに上縁側の横折り目を介して連接した前後左右の天面フラップ２１，２２，２３，２４と，各側面板のそれぞれに下縁側の横折り目を介して連接した前後左右の底面フラップ３１，３２，３３，３４とを備え，縦折り目１０ａ，１０ｂ，１０ｃと下縁側の横折り目３０ａ，３０ｂ，３０ｃ，３０ｄの交点に相当する一又は複数の部位に，切り欠き４１，４２，４３が形成されている。【選択図】図１
0003208345.tif 000002
【実用新案登録請求の範囲】
【請求項１】
縦折り目を介して連接した前後左右の側面板と，
各側面板のそれぞれに，上縁側の横折り目を介して連接した前後左右の天面フラップと，
各側面板のそれぞれに，下縁側の横折り目を介して連接した前後左右の底面フラップと，を備え，
前記縦折り目と前記下縁側の横折り目の交点に相当する一又は複数の部位に，切り欠きが形成されている
包装箱。
【請求項２】
前記切り欠きは，２つの底面フラップと２つの側面板に亘って形成された円形状の切り欠きである
請求項１に記載の包装箱。
【請求項３】
前記切り欠きは，前記縦折り目と前記下縁側の横折り目の交点に相当する部位の全てに形成されている
請求項１又は請求項２に記載の包装箱。
【請求項４】
前記縦折り目と前記上縁側の横折り目の交点に相当する部位には，切り欠きは形成されていない
請求項１から請求項３のいずれかに記載の包装箱。
【考案の詳細な説明】
【技術分野】
【０００１】
本考案は，段ボール箱などの包装箱に関する。具体的に説明すると，本考案は，包装箱を組み立てる際や，組み立てた包装箱を上下に積み重ねる際などに，天面フラップの根元部分に破損や裂損を生じさせにくくするための改良を施した包装箱に関するものである。
【背景技術】
【０００２】
従来から，汎用的なＡ式の段ボール箱のように，前後左右の側面板と，各側面板に連接した天面フラップと底面フラップを有する包装箱が知られている（特許文献１）。このような包装箱は，一枚の厚紙や段ボール紙を打ち抜いて製造されたブランクシートを組み立てることによって立体的な形状となり，その内部の立体空間内に様々な物品を収納することができる。
【先行技術文献】
【特許文献】
【０００３】
【特許文献１】特開２０１５−１１３１４５号公報
【考案の概要】
【考案が解決しようとする課題】
【０００４】
ところで，ブランクシートの状態から包装箱を組み立てるときには，各天面フラップや各底面フラップを各側面板との境界に設けられた横折り目に沿って折り曲げていくことなになる。しかし，その際に，各フラップを卍型などのように複雑に折り込もうとすると，フラップの根元部分に強い負荷が加わり，フラップと側面板の間に破損が生じてしまうことがある。また，各フラップを卍型に折り込んで封緘する包装箱は，包装箱の天面付近をやや上回る程度の高さまで内容物を詰め込まれた後に封緘される事があり，その場合，箱の内側から圧力がかかり，フラップの根元部分に強い負荷が加わってフラップと側面板の間に破損が生じてしまうことがある。
【０００５】
さらに，例えば物品を収容した状態の包装箱においても，天面フラップ及び底面フラップを閉じてその上に別の包装箱を積み上げることがある。しかし，このような場合には，上下の包装箱の積付けがずれた場合に，上側の包装箱の底面側の角部に大きな負荷が加わり，その部分に破損が生じるおそれがある。
【０００６】
以上のように，包装箱を利用する様々な場面において特に底面フラップの根元部分に負荷がかかることが想定されるため，その根元部分は破れ現象が頻発しやすい部位であるとされている。このため，例えば特許文献１においては，角部における破損を抑制することのできる段ボール箱が提案されている。この特許文献１の段ボール箱では，フラップと側面板の境界に設けられた横折り目の端部などに，横方向に延びる切れ目を形成する。このように，横方向に延びる切れ目をフラップの根元部分に形成することで，その根元部分に加わる負荷を緩和して，段ボール箱の破れ現象を抑制することができるとされている。
【０００７】
しかしながら，特許文献１の段ボール箱のように，フラップと側面板の境界に沿って切れ目を形成すると，この境界に沿って負荷が加わったときには，却ってその切れ目に沿って段ボール箱が破断しやすくなるという問題がある。つまり，特許文献１の技術では，段ボール箱の角部分に設けられた切れ目に沿って，フラップと側面板との破断が誘導されるおそれがあった。
【０００８】
そこで，本考案は，このような従来技術の問題に鑑みて発案されたものであり，特に底面フラップの根元部分に強い負荷が加わった場合であっても，底面フラップと側面板との境界線上に沿って破断しにくい包装箱を提供することを解決課題とする。
【課題を解決するための手段】
【０００９】
本考案の考案者は，上記の従来技術の問題を解決する手段について鋭意検討した結果，各側面板を連接する縦折り目と各側面板と各底面フラップとを連接する横折り目との交点に相当する部位に切り欠きを形成するという構造を発案した。このような切り欠きを底面フラップの根元部分に形成しておくことで，上下の包装箱の積付けがずれて底面フラップの根元部分に大きな負荷が加わった場合でも，底面フラップと側面板の境界線に沿った破断が誘導されにくくなるため，包装箱の破損を効果的に防止できる。そして，本考案者は，このような知見に基づけば，従来技術の課題を解決できることに想到し，本考案を完成させた。具体的に説明すると，本考案は以下の構成を有する。
【００１０】
本考案は，段ボール紙や厚紙を複数の折り目に沿って折り曲げて組み立てることのできる包装箱に関する。本考案の包装箱は，前後左右の側面板１１，１２，１３，１４と，前後左右の天面フラップ２１，２２，２３，２４と，前後左右の底面フラップ３１，３２，３３，３４を備える。
各側面板１１〜１４は，縦折り目１０ａ，１０ｂ，１０ｃを介して連接している。
また，各天面フラップ２１〜２４は，各側面板１１〜１４のそれぞれに対し，上縁側の横折り目２０ａ，２０ｂ，２０ｃ，２０ｄを介して連接している。なお，縦折り目と横折り目は，包装箱の展開状態（ブランクシートの状態）において互いに直交する方向に延びる折り目である。
また，各底面フラップ３１〜３４は，各側面板１１〜１４のそれぞれに対し，下縁側の横折り目３０ａ，３０ｂ，３０ｃ，３０ｄを介して連接している。
そして，本考案に係る包装箱では，縦折り目１０ａ〜１０ｃと下縁側の横折り目３０ａ〜３０ｄの交点に相当する一又は複数の部位に，切り欠き４１，４２，４３が形成されている。ここにいう切り欠き４１〜４３は，包装箱を構成する段ボール紙や厚紙の一部を打ち抜いて形成したものであり，これを形成すると打ち抜き片（トリム片）が発生するものを意味している。この意味において，切り欠き４１〜４３は，段ボール紙等に形成した切れ目やスリットなどとは異なる。
【００１１】
上記構成のように，縦折り目１０ａ〜１０ｃと下縁側の横折り目３０ａ〜３０ｄの交点に相当する部位に切り欠き４１〜４３を形成しておくことで，この交点部位に加わる負荷を分散させることができる。このため，この交点部位（底面フラップの根元部分）の破損や裂損を防止できる。
【００１２】
本考案に係る包装箱において，切り欠き４１〜４３は，２つの底面フラップと２つの側面板に亘って形成された円形状の切り欠きであることが好ましい。
【００１３】
上記構成のように，切り欠き４１〜４３の形状を角のない円形状とすることで，その切り欠き４１〜４３をきっかけとして側面板１１〜１４と底面フラップ３１〜３４の境界に破断が生じることを防止できる。つまり，切り欠き４１〜４３が三角形状や四角形状のように角を持つ形状あると，その角を起点として破断が生じるおそれがあるが，切り欠き４１〜４３を円形状とすることでこのような事態が生じるのを回避できる。
【００１４】
本考案に係る包装箱において，切り欠き４１〜４３は，縦折り目１０ａ〜１０ｃと下縁側の横折り目３０ａ〜３０ｄの交点に相当する部位の全てに形成されていることが好ましい。
【００１５】
上記構成のように，縦折り目と下縁側の横折り目の交点に相当する部位の全てに切り欠き４１〜４３を形成しておくことで，より確実に包装箱の破損を防止できる。
【００１６】
本考案に係る包装箱において，縦折り目１０ａ〜１０ｃと上縁側の横折り目２０ａ〜２０ｄの交点に相当する部位には，切り欠きは形成されていないことが好ましい。
【００１７】
上記構成のように，包装箱の下縁側にのみ切り欠き４１〜４３を形成し，上縁側には形成しないようにすることで，包装箱の上下方向が見分け易くなるという効果がある。また，包装箱の上縁側に切り欠きを形成しないことで，本考案の包装箱を積み重ねたときに，下段の包装箱の天面の角部が上段の包装箱の底面側に形成された切り欠き４１〜４３に差し込まれるようになるため，包装箱を上下方向に安定的に積み重ねることができる。
【考案の効果】
【００１８】
本考案によれば，特に底面フラップの根元部分に強い負荷が加わった場合であっても，底面フラップと側面板との境界線上に沿って破断しにくい包装箱を提供することができる。
【図面の簡単な説明】
【００１９】
【図１】図１は，本考案に係る包装箱の展開図である。
【図２】図２は，包装箱の底面フラップを卍型に組み込んだ状態を示す写真である。
【図３】図３は，包装箱を積み上げる際に上段の包装箱の積み上げ位置がずれてしまい，上段の包装箱の底面の角部が下段の包装箱の天面の角部によって圧迫された場合を想定した状態を示す写真である。
【考案を実施するための形態】
【００２０】
以下，図面を用いて本考案を実施するための形態について説明する。本考案は，以下に説明する形態に限定されるものではなく，以下の形態から当業者が自明な範囲で適宜変更したものも含む。
【００２１】
図１は，本考案に係る包装箱１００を展開した状態（すなわちブランクシート）を示している。図１に示されるように，包装箱１００は，前側面板１１と，後側面板１２と，左側面板１３と，右側面板１４を有する。図１に示した例では，右側面板１４，前側面板１１，左側面板１３，後側面板１２がこの順に連接しており，各側面板の境界には，包装箱の高さ方向に延びる縦折り目１０ａ，１０ｂ，１０ｃが形成されている。また，後側面板１２には，縦折り目１０ｄを介して接合代１５が連接している。接合代１５に接着剤などを塗布して後側面板１２と右側面板１４とを接合することで，各側面板が横方向に繋がって略直方体状の内部空間を形成する。このようにして，前側面板１１と後側面板１２とが対面し，左側面板１３と右側面板１４とが対面した構造となり，包装箱１００の側面が形成される。また，図１に示されるように，左側面板１３と右側面板１４には，持ち手用の穴部１３ａ，１４ａを形成するようにしてもよい。
【００２２】
また，包装箱１０は，前天面フラップ２１と，後天面フラップ２２と，左天面フラップ２３と，右天面フラップ２４を有する。前後左右の各天面フラップ２１〜２４は，前後左右の各側面板１１〜１４のそれぞれに対して，上縁側の横折り目２０ａ，２０ｂ，２０ｃ，２０ｄを介して連接している。各横折り目２０ａ〜２０ｄは，図１に示されるように，包装箱１０の展開状態において，各縦折り目１０ａ〜１０ｄと直交する方向に延びる折り目である。上縁側の各横折り目２０ａ〜２０ｄに沿って各天面フラップ２１〜２４を折り曲げることで，包装箱１００の上方側の開口部の一部又は全部を閉鎖する天面が形成される。図１の例では，各天面フラップ２１〜２４の長さが多少短く設定されているため，これらを折り曲げても，包装箱１００の上方の開口部の全体は閉鎖されない。
【００２３】
同様に，包装箱１０は，前底面フラップ３１と，後底面フラップ３２と，左底面フラップ３３と，右底面フラップ３４を有する。前後左右の各底面フラップ３１〜３４は，前後左右の各側面板１１〜１４のそれぞれに対して，下縁側の横折り目３０ａ，３０ｂ，３０ｃ，３０ｄを介して連接している。つまり，各底面フラップ３１〜３４は，各天面フラップ２１〜２４とは反対側に設けられる。下縁側の各横折り目３０ａ〜３０ｄに沿って各底面フラップ３１〜３４を折り曲げることで，包装箱１００の上方側の開口部の全体を閉鎖する底面が形成される。
【００２４】
ここで，本考案の包装箱１００は，縦折り目１０ａ〜１０ｄと下縁側の横折り目３０ａ〜３０ｄの交点に相当する一又は複数の部位に，切り欠き４１，４２，４３が形成されている。ここにいう「交点に相当する部位」とは，縦折り目１０ａ〜１０ｄの延長線と下縁側の横折り目３０ａ〜３０ｄの延長線の交点及びその周辺の部位を意味する。また，「切り欠き」は，包装箱を構成する段ボール紙や厚紙の一部を打ち抜いて形成したものであり，これを形成すると打ち抜き片（トリム片）が発生するものを意味する。図１の例では，前側面板１１と左側面板１３の間の縦折り目１０ａの下端部分に第１の切り欠き４１が形成され，前側面板１１と右側面板１４の間の縦折り目１０ｂの下端部分に第２の切り欠き４２が形成され，さらに，後側面板１２と左側面板１３の間の縦折り目１０ｃの下端部分に第３の切り欠き４３が形成されている。このように，少なくとも各側面板１１〜１４を連接する縦折り目１０ａ，１０ｂ，１０ｃの下端部分には，それぞれ切り欠き４１，４２，４３を形成することが好ましい。また，図示は省略するが，後側面板１２と接合代１５の間の縦折り目１０ｄの下端部分に別の切り欠きを形成することも可能である。
【００２５】
また，本考案において，切り欠き４１〜４３は，縦折り目１０ａ〜１０ｄの延長線と下縁側の横折り目３０ａ〜３０ｄの延長線の交点を中心として，その周囲に存在する合計４つの側面板と底面フラップに亘って形成されていることが好ましい。例えば，図１に示されるように，第１の切り欠き４１は，第１の縦折り目１０ａと下縁側の横折り目３０ａ，３０ｃの交点を中心に形成されており，その周囲に存在する前側面板１１，左側面板１３，前底面フラップ３１，及び左底面フラップ３３に亘って形成されている。このように，各切り欠き４１〜４３は，２つの底面フラップと２つの側面板に亘って形成されていることが好ましい。
【００２６】
また，切り欠き４１〜４３の形状は特に限定されるものではないが，図１に示されるように，円形状であることが好ましい。円形状の切り欠き４１〜４３とは，正円形であってもよいし，楕円形であってもよい。その他，切り欠き４１〜４３は，三角形状，四角形状，五角形状などの角のある形状とすることもできる。ただし，切り欠き４１〜４３が角を含む形状であると，その角に大きな負荷がかかったときに，段ボール紙や厚紙に裂損が生じるおそれがある。このため，切り欠き４１〜４３は，角を持たない円形状であることが好ましい。
【００２７】
他方で，図１に示されるように，縦折り目１０ａ〜１０ｄと上縁側の横折り目２０ａ〜２０ｄの交点に相当する部位には，上述したような切り欠きを形成する必要はない。上縁側には切り欠きを形成しないようにすることで，包装箱の上下方向が見分け易くなるという効果がある。さらに，包装箱の上縁側に切り欠きを形成しないことで，本考案の包装箱を積み重ねたときに，下段の包装箱の天面の角部が上段の包装箱の底面に形成された切り欠き４１〜４３に差し込まれるようになるため，包装箱を上下方向に安定的に積み重ねることができるようになる。ただし，本考案においては，縦折り目１０ａ〜１０ｄと上縁側の横折り目２０ａ〜２０ｄの交点に相当する部位に切り欠きを形成することも可能である。
【００２８】
続いて，図２及び図３を参照して，本考案に係る包装箱１００の効果について説明する。図２は，包装箱１００の各底面フラップ３１〜３４を卍型に折り込む実験の結果を示している。通常，各底面フラップ３１〜３４を複雑に折り込もうとすると，その作業中に，底面フラップの根元部分に破損や裂損が生じやすくなる。これに対し，図２に示されるように，各底面フラップ３１〜３４の根元部分に切り欠き４１〜４３を形成しておくことで，底面フラップを複雑に折り込む際に強い負荷を加えた場合であっても，その負荷が切り欠き４１〜４３において分散される。このように，切り欠き４１〜４３を形成しておくことで，底面フラップ３１〜３４の組み立て時に段ボール紙に破損や裂損が生じるのを防止できることわかる。
【００２９】
図３は，包装箱１００を積み重ねる際に上段の包装箱１００の積み上げ位置がずれてしまった場合を想定した実験の結果を示している。つまり，図３では，上段の包装箱１００の底面の角部が下段の包装箱１００の天面の角部によって圧迫されて，上段の包装箱１００の底面フラップ３１〜３４が箱の内側に折り込まれたしまった状態を想定している。この場合であっても，底面フラップ３１〜３４の根元部分に切り欠き４１〜４３を形成しておくことで，この切り欠き４１〜４３が上段の包装箱１００の底面の角部に加わる負荷を逃していることがわかる。従って，底面フラップ３１〜３４の根元部分に切り欠き４１〜４３を形成しておくことで，中身のある包装箱を複数段積み重ねたときにも，段ボール紙に破損や裂損が発生することを防止できる。
【００３０】
上記のように，包装箱１００の使用時には，様々な場面で底面フラップ３１〜３４の根元部分に負荷が加わることになる。これに対しては，本考案のように，底面フラップ３１〜３４の根元部分，すなわち縦折り目１０ａ〜１０ｄと下縁側の横折り目３０ａ〜３０ｄの交点に相当する部位に切り欠き４１〜４３を形成しておくことで，この部位に加わる負荷を効果的に分散することができる。従って，本考案によれば，底面フラップ３１〜３４の根元部分に強い負荷が加わった場合であっても，底面フラップ３１〜３４と側面板１１〜２４との境界線上に沿って破断しにくい包装箱を提供することができる。
【００３１】
以上，本願明細書では，本考案の内容を表現するために，図面を参照しながら本考案の実施形態の説明を行った。ただし，本考案は，上記実施形態に限定されるものではなく，本願明細書に記載された事項に基づいて当業者が自明な変更形態や改良形態を包含するものである。
【産業上の利用可能性】
【００３２】
本考案は，段ボール箱などの包装箱に関する。従って，本考案は，段ボール箱の製造業や，段ボール箱を利用して物品を運搬する運送業などにおいて好適に利用することができる。
【符号の説明】
【００３３】
１０ａ〜１０ｄ…縦折り目              １１…前側面板
１２…後側面板                        １３…左側面板
１４…右側面板                        １５…接合代
２０ａ〜２０ｄ…横折り目（上縁側）    ２１…前天面フラップ
２２…後天面フラップ                  ２３…左天面フラップ
２４…右天面フラップ                  ３０ａ〜３０ｄ…横折り目（下縁側）
３１…前底面フラップ                  ３２…後底面フラップ
３３…左底面フラップ                  ３４…右底面フラップ
４１〜４３…切り欠き                  １００…包装箱
【図１】
0003208345.tif 000003
【図２】
0003208345.tif 000004
【図３】
0003208345.tif 000005